(57)【要約】【課題】  剪定後に残る庭木の切断面を平坦な切断面にできる庭木バリカンを提供する。【解決手段】  それぞれ長尺で鋸形状の上刃体３と中刃体４と下刃体５とを順に重ねて刃ブロック１を形成する。上記各刃体３，４，５を構成する刃体６の幅端縁に幅方向外方に突出する突板部８を形成する。駆動モータにて刃体６の長手方向に往復摺動する可動刃とした中刃体４の突板部８の側端縁８ａに鋭角状の刃先角θを有する刃部９を形成する。下刃体５の突板部８の側端縁８ａに直角状の刃先角θを有する刃部９を形成する。中刃体４の刃部９の刃先９ａと下刃体５の刃部９の刃先９ａとを摺接可能にする。上刃体３及び下刃体５の各突板部８の側端縁８ａにおける刃体６の長手方向の位置を一致させる。【選択図】        図１
2006087403.tif 000002
【特許請求の範囲】
【請求項１】
本体部に内装した駆動モータによって本体部から突設した長尺の刃ブロックを駆動させて庭木を剪定可能にしてなる庭木バリカンであって、それぞれ長尺で鋸形状の上刃体と中刃体と下刃体とを順に重ねて刃ブロックを形成し、上記各刃体を構成する刃体の幅端縁に幅方向外方に突出する突板部を形成し、駆動モータにて刃体の長手方向に往復摺動する可動刃とした中刃体の突板部の側端縁に鋭角状の刃先角を有する刃部を形成し、下刃体の突板部の側端縁に直角状の刃先角を有する刃部を形成し、中刃体の刃部の刃先と下刃体の刃部の刃先とを摺接可能にし、上刃体及び下刃体の各突板部の側端縁における刃体の長手方向の位置を一致させたことを特徴とする庭木バリカン。
【請求項２】
上刃体の突板部の側端縁に直角状の刃先角を有した刃部を形成したことを特徴とする請求項１記載の庭木バリカン。
【請求項３】
上刃体及び下刃体の各突板部の側端縁を上面視波形状に形成したことを特徴とする請求項１記載の庭木バリカン。
【発明の詳細な説明】
【技術分野】
【０００１】
本発明は、庭木バリカンに関し、詳しくは庭木を切断する刃ブロックの切断機構に関するものである。
【背景技術】
【０００２】
庭木バリカンは、把持部を有する本体部２に内装した駆動モータによって本体部２から突設した刃ブロック１を切断駆動させて庭木Ｎを剪定可能にした器具であり（図２参照）、一般に上記刃ブロック１は、たとえば特許文献１のように、重ねて配置される複数の長尺の鋸状の刃体６をその積層方向の両外方から固定状態にある一対の押付板１０で挟持するようにして形成され、少なくとも一の刃体６を駆動モータの駆動によって刃体６の長手方向に往復駆動させる可動刃とし、可動刃とこの可動刃に重なる刃体６との各刃部９で庭木Ｎを挟み込んで切断可能にされている。
【０００３】
しかしながら、現状の庭木バリカンでは、剪定後に残る庭木Ｎの切断面を平坦にすることができずにおり、良好な剪定仕上りを得ることが困難であるといった問題があり、本出願人は、この問題を解決するべく鋭意検討して本願に至ったのであるが、本願に至る前には下記のように試行錯誤を行っている。
【０００４】
たとえば、図１４や図１５のように長尺の本体板部７の幅側縁から幅方向外方に突板部８を突設すると共にこの突板部８の周縁に刃先角θが４５°の刃部９を形成して刃体６を形成してこの刃体６で上刃体３と下刃体５とを構成し、図１６のように各刃部９の刃先９ａが対向するように隙間Ｓをあけて上刃体３と下刃体５とを重ねて配置して刃ブロック１を形成し、可動刃の上刃体３の刃部９と固定刃の下刃体５の刃部９とで庭木Ｎを挟み込むように切断した。この場合、庭木Ｎは図１７のように切断されるのであるが、剪定後に残る庭木Ｎの切断面には、切断不良による庭木Ｎの破壊痕や、下刃体５の刃部９の庭木Ｎへの食い込みに起因する圧縮痕が発生し、平坦な切断面を得ることができないものであった。詳しくは、図１７（ｆ）のように剪定後に残る庭木Ｎの切断面は、３０％の上刃体３による平坦切断部Ａ、３０％の下刃体５の食い込みに起因する圧縮痕部Ｂ、残り４０％が切断不良による破壊痕部Ｃとなった。
【０００５】
また、図１４や図１５のように長尺の本体板部７の幅側縁から幅方向外方に突板部８を突設すると共にこの突板部８の周縁に刃先角θが４５°の刃部９を形成して刃体６を形成してこの刃体６で上刃体３と下刃体５とを構成し、図１８のように各刃部９の刃先９ａ同士が摺接するように上刃体３と下刃体５とを重ねて配置して刃ブロック１を形成し、可動刃の上刃体３の刃部９と固定刃の下刃体５の刃部９とで庭木Ｎを挟み込むように切断した。この場合、庭木Ｎは図１９のように切断されるのであるが、剪定後に残る庭木Ｎの切断面には、依然として切断不良による庭木Ｎの破壊痕や、下刃体５の刃部９の庭木Ｎへの食い込みに起因する圧縮痕部Ｂが発生し、平坦な切断面を得ることができないものであった。詳しくは、図１９（ｆ）のように剪定後に残る庭木Ｎの切断面は、４０％の上刃体３による平坦切断部Ａ、４０％の下刃体５の食い込みに起因する圧縮痕部Ｂ、残り２０％が切断不良による破壊痕部Ｃとなった。
【０００６】
また、図１４や図１５や図２０のように長尺の本体板部７の幅側縁から幅方向外方に突板部８を突設すると共にこの突板部８の周縁に刃先角θが４５°の刃部９を形成して刃体６を形成してこの刃体６で上刃体３と中刃体４と下刃体５とを構成し、図２１のように、固定刃とした上刃体３と下刃体５との間に可動刃とした中刃体４をその刃部９の刃先９ａが下刃体５の刃部９の刃先９ａに摺接可能になるように重ねて刃ブロック１を形成し、上刃体３及び下刃体５の各刃部９の刃先９ａにおける刃体６の長手方向の位置を一致させ、可動刃の中刃体４の刃部９と固定刃の下刃体５の刃部９とで庭木Ｎを挟み込むように切断した。この場合、庭木Ｎは図２２のように切断されるのであるが、剪定後に残る庭木Ｎの切断面には、依然として切断不良による庭木Ｎの破壊痕や、下刃体５の刃部９の庭木Ｎへの食い込みに起因する圧縮痕部Ｂが発生し、平坦な切断面を得ることができないものであった。詳しくは、図２２（ｆ）のように剪定後に残る庭木Ｎの切断面は、６０％の中刃体４による平坦切断部Ａ、２５％の下刃体５の食い込みに起因する圧縮痕部Ｂ、残り１５％が切断不良による破壊痕部Ｃとなった。
【０００７】
また、特許文献２を参考に、図１５や図２０のように長尺の本体板部７の幅側縁から幅方向外方に突板部８を突設すると共にこの突板部８の周縁に刃先角θが４５°の刃部９を形成して刃体６を形成してこの刃体６で中刃体４と下刃体５とを構成し、図２３のように長尺の本体板部７に幅方向外方に突板部８を本体板部７の長手方向にスライド自在に取付けると共にこの突板部８の周縁に刃先角θが４５°の刃部９を形成して刃体６を形成してこの刃体６で上刃体３を構成し、図２４のように固定刃とした上刃体３と下刃体５との間に可動刃とした中刃体４をその刃部９の刃先９ａが下刃体５の刃部９の刃先９ａに摺接可能になるように重ねて刃ブロック１を形成し、上刃体３及び下刃体５の各刃部９の刃先９ａにおける刃体６の長手方向の位置を一致させ、可動刃の中刃体４の刃部９と固定刃の下刃体５の刃部９とで庭木Ｎを挟み込むように切断した。この場合、庭木Ｎは図２５のように切断されるのであるが、剪定後に残る庭木Ｎの切断面には、依然として切断不良による庭木Ｎの破壊痕や、下刃体５の刃部９の庭木Ｎへの食い込みに起因する圧縮痕部Ｂが発生し、平坦な切断面を得ることができないものであった。詳しくは、図２５（ｆ）のように剪定後に残る庭木Ｎの切断面は、４０％の中刃体４による平坦切断部Ａ、４０％の下刃体５の食い込みに起因する圧縮痕部Ｂ、残り２０％が切断不良による破壊痕部Ｃとなった。
【０００８】
また、図１４のように長尺の本体板部７の幅側縁から幅方向外方に突板部８を突設すると共にこの突板部８の周縁に刃先角θが４５°の刃部９を形成した刃体６で上刃体３を構成し、図２６のように長尺の本体板部７の幅側縁から幅方向外方に突板部８を突設すると共にこの突板部８の周端に刃先角θが９０°の刃部９を形成した刃体６で下刃体５を構成し、図２７のように各刃部９の刃先９ａ同士が摺接するように上刃体３と下刃体５とを重ねて配置して刃ブロック１を形成し、可動刃の上刃体３の刃部９と固定刃の下刃体５の刃部９とで庭木Ｎを挟み込むように切断した。この場合、庭木Ｎは図２８のように切断されるのであり、剪定後に残る庭木Ｎの切断面から、下刃体５の刃部９の庭木Ｎへの食い込みに起因する圧縮痕部Ｂを無くすることはできたものの、依然として切断不良による庭木Ｎの破壊痕が発生し、平坦な切断面を得ることができないものであった。詳しくは、図２８（ｆ）のように剪定後に残る庭木Ｎの切断面は、７５％の上刃体３による平坦切断部Ａ、残り２５％が切断不良による破壊痕部Ｃとなった。
【０００９】
すなわち、上記試行錯誤の末に、本出願人は、剪定後に残る庭木の切断面を、刃部９の食い込みに起因する圧縮痕部Ｂや切断不良による破壊痕部Ｃを残さず、平坦な切断面にして良好な剪定仕上りが得られる本願を想到するに至ったのである。
【特許文献１】特開平４−３１１３２１号公報
【特許文献２】特開昭５４−１１１４４６号公報
【発明の開示】
【発明が解決しようとする課題】
【００１０】
本発明は上記の従来の問題点に鑑みて発明したものであって、剪定後に残る庭木Ｎの切断面を平坦な切断面にできる庭木バリカンを提供することを課題とするものである。
【課題を解決するための手段】
【００１１】
上記課題を解決するために本発明の請求項１に係る庭木バリカンは、本体部２に内装した駆動モータによって本体部２から突設した長尺の刃ブロック１を駆動させて庭木Ｎを剪定可能にしてなる庭木バリカンであって、それぞれ長尺で鋸形状の上刃体３と中刃体４と下刃体５とを順に重ねて刃ブロック１を形成し、上記各刃体３，４，５を構成する刃体６の幅端縁に幅方向外方に突出する突板部８を形成し、駆動モータにて刃体６の長手方向に往復摺動する可動刃とした中刃体４の突板部８の側端縁８ａに鋭角状の刃先角θを有する刃部９を形成し、下刃体５の突板部８の側端縁８ａに直角状の刃先角θを有する刃部９を形成し、中刃体４の刃部９の刃先９ａと下刃体５の刃部９の刃先９ａとを摺接可能にし、上刃体３及び下刃体５の各突板部８の側端縁８ａにおける刃体６の長手方向の位置を一致させたことを特徴とする。
【００１２】
これによると、庭木Ｎの根元側に下刃体５を位置させるように刃ブロック１を庭木Ｎに当てて刃ブロック１内に庭木Ｎを導入すると、刃体６の長手方向の位置が一致した上刃体３及び下刃体５の各突板部８の側端縁８ａの間に庭木Ｎが掛け渡された状態となり、この状態にある庭木Ｎには刃体６の長手方向に駆動する中刃体４の刃部９が押し当てられ、摺接する中刃体４の刃部９と下刃体５の刃部９とで庭木Ｎが挟み込まれて切断されるのであるが、このとき、庭木Ｎは中刃体４の刃部９が押し当てられても上刃体３及び下刃体５の各突板部８の各側端縁８ａで支えられるのであって、すなわち、庭木Ｎが中刃体４の刃部９の押し当て方向に折れ曲がってしまうことが防止され、庭木Ｎの折れ曲がりに起因していた切断不良による破壊が切断面に発生することが防止されるのであり、そして、庭木Ｎが折れ曲がらないために切断中の庭木Ｎは上刃体３及び下刃体５の各突板部８の各側端縁８ａに沿い続けることから、直角の刃先角θを有する下刃体５の刃部９の庭木Ｎへの食い込みを完全に防止することができ、剪定後の庭木Ｎの切断面には下刃体５の食い込みによる圧縮痕の発生をも防止できるのである。したがって、剪定後に残る庭木Ｎの切断面には切断不良による破壊痕や下刃体５の食い込みによる圧縮痕が形成されず、この切断面の全てを中刃体４の刃部９の切断により形成される平坦切断部Ａ（平坦な切断面）で構成できるのであって、良好な剪定仕上りを確保できるのである。
【００１３】
また、請求項２に係る庭木バリカンは、請求項１において、上刃体３の突板部８の側端縁８ａに直角状の刃先角θを有した刃部９を形成したことを特徴とする。これによると、切断時の庭木Ｎへの上刃体３の接触面積を増やすことができて上刃体３での庭木Ｎの保持をより確実に行わせることができ、また同一平面内における上刃体３と下刃体５との距離が小さくなって上刃体３及び下刃体５の庭木Ｎの支点間距離を小さくして庭木Ｎの折れ曲がりを抑制でき、したがって、庭木Ｎの折れ曲がりを抑制した状態で上刃体３と下刃体５にて庭木Ｎを安定支持できてこの庭木Ｎを中刃体４で切断できるから、より確実に良好な剪定仕上りを確保できるのである。
【００１４】
また、請求項３に係る庭木バリカンは、請求項１において、上刃体３及び下刃体５の各突板部８の側端縁８ａを上面視波形状１６に形成したことを特徴とする。これによると、波形状１６の凹所内に庭木Ｎを挿入したりして庭木Ｎを拘束した状態で上刃体３と下刃体５にて庭木Ｎを安定支持できてこの庭木Ｎを中刃体４で切断できるから、より確実に良好な剪定仕上りを確保できるのである。
【発明の効果】
【００１５】
本発明は、それぞれ長尺で鋸形状の上刃体と中刃体と下刃体とを順に重ねて刃ブロックを形成し、上記各刃体を構成する刃体の幅端縁に幅方向外方に突出する突板部を形成し、駆動モータにて刃体の長手方向に往復摺動する可動刃とした中刃体の突板部の側端縁に鋭角状の刃先角を有する刃部を形成し、下刃体の突板部の側端縁に直角状の刃先角を有する刃部を形成し、中刃体の刃部の刃先と下刃体の刃部の刃先とを摺接可能にし、上刃体及び下刃体の各突板部の側端縁における刃体の長手方向の位置を一致させているので、庭木の根元側に下刃体を位置させるようにして刃ブロックで庭木を切断すると、上刃体及び下刃体の各突板部の側端縁の間に掛け渡された庭木に対して中刃体を押し当てて切断することができ、このとき、庭木は中刃体の刃部が押し当てられても上刃体及び下刃体の各突板部の各側端縁で支えられるのであって、すなわち、庭木が中刃体の刃部の押し当て方向に折れ曲がってしまうことが防止され、庭木の折れ曲がりに起因していた切断不良による破壊が切断面に発生することが防止されるのであり、そして、庭木が折れ曲がらないために切断中の庭木は上刃体及び下刃体の各突板部の各側端縁に沿い続けることから、直角の刃先角を有する下刃体の刃部の庭木への食い込みを完全に防止することができ、剪定後の庭木の切断面には下刃体の食い込みによる圧縮痕の発生をも防止できるのであり、したがって、剪定後に残る庭木の切断面には切断不良による破壊痕や下刃体の食い込みによる圧縮痕が形成されず、この切断面の全てを中刃体の刃部の切断により形成される平坦な切断面で構成できるのであって、良好な剪定仕上りを確保できるという利点を得ることができる。
【発明を実施するための最良の形態】
【００１６】
以下、本発明を添付図面に示す実施形態に基いて説明する。
【００１７】
本例の庭木バリカンは、図２のように、把持部１７を備えると共に駆動モータが内装された本体部２を有し、この本体部２から庭木Ｎを剪定する刃ブロック１を突設して構成されている。本例の刃ブロック１は、図３のように固定刃の上刃体３と可動刃の中刃体４と固定刃の下刃体５とを順に積層して配置し、これら各刃体３，４，５の積層方向の両側から一対の長尺の押付板１０によって挟持し、中刃体４及び下刃体５の刃部９同士で庭木Ｎを挟み込ませて切断できるように構成されている。ここで、各押付板１０は本体部２に取付けられて固定状態にされており、一対の押付板１０で各刃体３，４，５を挟持するには各刃体３，４，５を貫通させたボルト状の規制ピン１１で一対の押付板１０同士を締付けることで行われている。
【００１８】
上刃体３は図４に、中刃体４は図５に、下刃体５は図６にそれぞれ示すが、これらはいずれも長尺の鋸状の刃体６で構成されている。この刃体６は、長尺の本体板部７の幅端縁に幅方向外方に突出する複数の突板部８を本体板部７の長手方向の所定間隔毎に突設させて形成されている。ここで、可動刃の中刃体４における突板部８の周縁には鋭角状の刃先角θを有する刃部９が形成されている。なお、刃部９の刃先９ａには刃こぼれ防止のため微少な刃先Ｒが施されている。また、可動刃の刃部９の刃先角θは、庭木Ｎの切断性能を確保するために６０°以下であることが望ましく、切断時の庭木Ｎからの押当て反力に対する耐久性や刃先９ａの寿命を確保するために２０°以上であることが望ましい。本例の可動刃である中刃体４の刃部９の刃先角θはたとえば４５°に形成されている。なお、便宜上、上記突板部８の周縁のうち、刃体６の長さ方向に略直交する縁を側端縁８ａと称し、刃体６の長さ方向に略平行な縁を突出端縁８ｂと称する。また、下刃体５における突板部８の側端縁８ａには直角の刃先角θを有する刃部９が形成されている。この中刃体４と下刃体５とは各刃先９ａを摺接可能にするように配置されており、上記各刃部９の協働で庭木Ｎを切断可能にしている。また、上刃体３と下刃体５にあっては、各突板部８の側端縁８ａにおける刃体６の長手方向の位置を一致させるようにして、配置されている。つまり、刃ブロック１を上面から見ると、上刃体３及び下刃体５の各突板部８が重なり合うように位置されているのである。なお、本例では上刃体３における突板部８の周縁には特に刃部９は形成されておらず、比較的緩やかなＲ面状に形成されている。
【００１９】
上述のように上刃体３や下刃体５は本体部２や押付板１０に固定される固定刃であるが、中刃体４は本体部２に内装した駆動モータによって刃体６の長手方向に往復摺動される可動刃である。詳しくは、可動刃となる中刃体４は刃体６の長手方向の基端部分が本体部２内に挿入されており、この基端部分に刃体６の幅方向に長い長孔状の嵌合孔１２が穿孔され、駆動モータの回転出力軸１３に取付けた駆動モータの回転駆動により偏心回転する偏心カム１４が上記嵌合孔１２に刃体６の幅方向にのみスライド自在に嵌合されており、駆動モータの回転駆動における刃体６の長手方向への運動成分のみを中刃体４に伝達できるようにされている。なお、本例の偏心カム１４は円盤部材であってその外径縁部で回転出力軸１３に取付けされたものである。また、この中刃体４の本体板部７には刃体６の長手方向に平行な長孔状の規制孔１５が穿孔され、一対の押付板１０間を連結した規制ピン１１がスライド自在に挿通されており、上記各偏心カム１４による中刃体４の運動が整えられるようにされている。これにより、中刃体４は、図７のように、駆動モータが駆動することで刃体６の長手方向に往復運動がなされるようにされているのである（矢印ａ）。
【００２０】
上記構成の刃ブロック１を有する本例の庭木バリカンにあっては、庭木Ｎの根元側に下刃体５を位置させるように刃ブロック１を庭木Ｎに当てて庭木Ｎを剪定していくのであり、このときの刃ブロック１による庭木Ｎの切断は図１のように行われる。詳しくは、庭木Ｎの根元側に下刃体５を位置させるように刃ブロック１を庭木Ｎに当てて刃ブロック１内に庭木Ｎを導入すると、刃体６の長手方向の位置が一致した上刃体３及び下刃体５の各突板部８の側端縁８ａの間に庭木Ｎが掛けられた状態となり、この状態にある庭木Ｎに刃体６の長手方向に駆動する中刃体４の刃部９が押し当てられ、摺接する中刃体４の刃部９と下刃体５の刃部９とで庭木Ｎが挟み込まれて切断されるのである。つまり、庭木Ｎは中刃体４の刃部９が押し当てられても上刃体３及び下刃体５の各突板部８の各側端縁８ａで支えられるのであり、すなわち、切断される庭木Ｎにあっては、中刃体４の刃部９の押圧で中刃体４の押し当て方向に折れ曲がってしまうことが上刃体３及び下刃体５の支えによって防止されており、庭木Ｎの折れ曲がりに起因していた切断不良による破壊が切断面に発生することが防止されているのである。そして、庭木Ｎが折れ曲がらないために切断中の庭木Ｎは上刃体３及び下刃体５の各突板部８の各側端縁８ａに沿い続けることから、直角の刃先角θを有する下刃体５の刃部９の庭木Ｎへの食い込みを完全に防止することができ、剪定後の庭木Ｎの切断面には下刃体５の食い込みによる圧縮痕の発生をも防止されているのである。したがって、剪定後に残る庭木Ｎの切断面には、図１（ｆ）のように、切断不良による破壊痕や下刃体５の食い込みによる圧縮痕が形成されず、この切断面の全てを中刃体４の刃部９の切断により形成される平坦切断部Ａ（平坦な切断面）で構成できるのであって、良好な剪定仕上りの確保が可能にされているのである。
【００２１】
また、図８乃至図１０には本発明の実施の形態の他例を示す。本例は、先例の上刃体３に代えて図８に示す上刃体３を用いたものであり、その余の先例と同構成の部位には同符合を付して説明を省き、異なる部分について説明をしていく。本例の上刃体３は、図８のように、突板部８の側端縁８ａに直角状の刃先角θを有した刃部９が形成されている。すなわち、本例の上刃体３及び下刃体５は同形状の刃体６で構成されている。本例の刃ブロック１は図９のように中刃体４が上刃体３及び下刃体５に摺接可能にされて構成されている。ここで、上述のように上刃体３及び下刃体５は同形状の刃体６で構成されているから上方または下方から刃ブロック１を見たときには上刃体３と下刃体５とが完全に重なるようにされている。また、この刃ブロック１による庭木Ｎの切断は図１０のように行われるのであるが、本例では先例に比べ、庭木Ｎの切断時の庭木Ｎへの上刃体３の接触面積を増やすことができて上刃体３での庭木Ｎの保持をより確実に行わせることが可能にされており、また同一の垂直面内に位置する上刃体３と下刃体５との刃先９ａ間の距離が小さくなって上刃体３及び下刃体５の庭木Ｎの支点間距離を小さくして庭木Ｎの折れ曲がりを更に抑制できるようにされている。したがって、庭木Ｎの折れ曲がりを抑制した状態で上刃体３と下刃体５にて庭木Ｎを安定支持でき、この庭木Ｎを中刃体４で切断できるから、より確実に良好な剪定仕上りの確保が可能にされているのである（図１０（ｆ）参照）。なお、本例では上刃体３及び下刃体５とを同形状の刃体６で構成して刃ブロック１の構成の簡略化が図られているが、実質的に上刃体３は庭木Ｎの切断には直接関与するものではないから上刃体３の突板部８の側縁部８ａに設ける刃先角θが９０°の刃部９は垂直面を有すればよい。
【００２２】
また、図１１乃至図１３には本発明の実施の形態の更に他例を示す。本例は、中刃体４の刃先角θを６０°に形成し、先例の上刃体３及び下刃体５に代えて図１１の刃体６で構成した上刃体３及び下刃体５を用いたものであり、その余の先例と同構成の部位には同符合を付して説明を省き、異なる部分について説明をしていく。本例の上刃体３及び下刃体５を構成する刃体６は、図１１のように、突板部８の側端縁８ａを上面視波形状１６に形成したものである。なお、少なくとも下刃体５を構成する刃体６における突板部８の側端縁８ａには、中刃体４の刃部９と協働して庭木Ｎを切断するために、直角の刃先角θを有した刃部９が形成されている。本例では、上刃体３及び下刃体５のいずれの刃体６の突板部８の側端縁８ａにも直角の刃先角θを有した刃部９が形成されている。本例の刃ブロック１は図１２のように構成されるのであるが、上述のように上刃体３及び下刃体５は同形状の刃体６で構成されているから上方または下方から刃ブロック１を見たときには上刃体３と下刃体５とが完全に重なるようにされている。また、この刃ブロック１による庭木Ｎの切断は図１３のように行われるのであるが、本例では先例に比べ、上刃体３及び下刃体５の突板部８の側端縁８ａの波形状１６に庭木Ｎを引掛けることができて、上刃体３と下刃体５とで庭木Ｎを拘束状態にして安定して保持できるのであり、そしてこの庭木Ｎを中刃体４で切断できるから、より確実に良好な剪定仕上りの確保が可能にされているのである（図１３（ｆ）参照）。
【図面の簡単な説明】
【００２３】
【図１】本発明の実施の形態の例における庭木の切断を説明する説明図であり、（ａ）〜（ｅ）は庭木の切断を順に説明する説明図であり、（ｆ）は剪定後に残る庭木を説明する説明図である。
【図２】同上の庭木バリカンの全体斜視図である。
【図３】同上の庭木バリカンの刃ブロックであり、（ａ）は上面図であり、（ｂ）は側面図である。
【図４】同上の上刃体であり、（ａ）は上面図であり、（ｂ）は側面図である。
【図５】同上の中刃体であり、（ａ）は上面図であり、（ｂ）は側面図である。
【図６】同上の下刃体であり、（ａ）は上面図であり、（ｂ）は側面図である。
【図７】同上の中刃体の動作説明図である。
【図８】本発明の実施の形態の他例における上刃体であり、（ａ）は上面図であり、（ｂ）は側面図である。
【図９】同上の庭木バリカンの刃ブロックであり、（ａ）は上面図であり、（ｂ）は側面図である。
【図１０】同上の庭木の切断を説明する説明図であり、（ａ）〜（ｅ）は庭木の切断を順に説明する説明図であり、（ｆ）は剪定後に残る庭木を説明する説明図である。
【図１１】本発明の実施の形態の更に他例における上刃体または下刃体であり、（ａ）は上面図であり、（ｂ）は側面図である。
【図１２】同上の庭木バリカンの刃ブロックであり、（ａ）は上面図であり、（ｂ）は側面図である。
【図１３】同上の庭木の切断を説明する説明図であり、（ａ）〜（ｅ）は庭木の切断を順に説明する説明図であり、（ｆ）は剪定後に残る庭木を説明する説明図である。
【図１４】背景技術の例の上刃体であり、（ａ）は上面図であり、（ｂ）は側面図である。
【図１５】同上の下刃体であり、（ａ）は上面図であり、（ｂ）は側面図である。
【図１６】同上の庭木バリカンの刃ブロックであり、（ａ）は上面図であり、（ｂ）は側面図である。
【図１７】同上の庭木の切断を説明する説明図であり、（ａ）〜（ｅ）は庭木の切断を順に説明する説明図であり、（ｆ）は剪定後に残る庭木を説明する説明図である。
【図１８】背景技術の他例の庭木バリカンの刃ブロックであり、（ａ）は上面図であり、（ｂ）は側面図である。
【図１９】同上の庭木の切断を説明する説明図であり、（ａ）〜（ｅ）は庭木の切断を順に説明する説明図であり、（ｆ）は剪定後に残る庭木を説明する説明図である。
【図２０】背景技術の更に他例の中刃体であり、（ａ）は上面図であり、（ｂ）は側面図である。
【図２１】同上の庭木バリカンの刃ブロックであり、（ａ）は上面図であり、（ｂ）は側面図である。
【図２２】同上の庭木の切断を説明する説明図であり、（ａ）〜（ｅ）は庭木の切断を順に説明する説明図であり、（ｆ）は剪定後に残る庭木を説明する説明図である。
【図２３】背景技術の更に他例の上刃体であり、（ａ）は上面図であり、（ｂ）は側面図である。
【図２４】同上の庭木バリカンの刃ブロックであり、（ａ）は上面図であり、（ｂ）は側面図である。
【図２５】同上の庭木の切断を説明する説明図であり、（ａ）〜（ｅ）は庭木の切断を順に説明する説明図であり、（ｆ）は剪定後に残る庭木を説明する説明図である。
【図２６】背景技術の更に他例の下刃体であり、（ａ）は上面図であり、（ｂ）は側面図である。
【図２７】同上の庭木バリカンの刃ブロックであり、（ａ）は上面図であり、（ｂ）は側面図である。
【図２８】同上の庭木の切断を説明する説明図であり、（ａ）〜（ｅ）は庭木の切断を順に説明する説明図であり、（ｆ）は剪定後に残る庭木を説明する説明図である。
【符号の説明】
【００２４】
１  刃ブロック
２  本体部
３  上刃体
４  中刃体
５  下刃体
６  刃体
７  本体板部
８  突板部
８ａ  側端縁
９  刃部
９ａ  刃先
θ  刃先角
【図１】
2006087403.tif 000003
【図２】
2006087403.tif 000004
【図３】
2006087403.tif 000005
【図４】
2006087403.tif 000006
【図５】
2006087403.tif 000007
【図６】
2006087403.tif 000008
【図７】
2006087403.tif 000009
【図８】
2006087403.tif 000010
【図９】
2006087403.tif 000011
【図１０】
2006087403.tif 000012
【図１１】
2006087403.tif 000013
【図１２】
2006087403.tif 000014
【図１３】
2006087403.tif 000015
【図１４】
2006087403.tif 000016
【図１５】
2006087403.tif 000017
【図１６】
2006087403.tif 000018
【図１７】
2006087403.tif 000019
【図１８】
2006087403.tif 000020
【図１９】
2006087403.tif 000021
【図２０】
2006087403.tif 000022
【図２１】
2006087403.tif 000023
【図２２】
2006087403.tif 000024
【図２３】
2006087403.tif 000025
【図２４】
2006087403.tif 000026
【図２５】
2006087403.tif 000027
【図２６】
2006087403.tif 000028
【図２７】
2006087403.tif 000029
【図２８】
2006087403.tif 000030